(57)【要約】  【課題】天板面に厚さ方向に貫通する孔を設けることなく、天板面の外観を整え、また天板の強度を確保しつつ天板の両面を利用可能な脚要素の取付構造を実現できるようにする。  【解決手段】平面視矩形状の天板１を支持する脚要素である脚３の取付構造に、前記脚３と、天板１及び脚３を接続し天板１の隅部を形成する複数の小口面に当接可能な当接部５１ａを有する脚取付部材である天板受部材５１と、前記天板受部材５１を前記天板１の小口面に向かって止着する止着部Ｓ２とを具備す構成を採用する。  【選択図】図７
2006204772.tif 000002
【特許請求の範囲】
【請求項１】
平面視矩形状の天板を支持する脚要素の取付構造であって、前記脚要素と、天板及び脚要素を接続し天板の隅部を形成する複数の小口面に当接可能な当接部を有する脚取付部材と、前記脚取付部材を前記天板の小口面に向かって止着する止着部とを具備することを特徴とする脚要素の取付構造。
【請求項２】
前記脚取付部材に、前記当接部の下端から延伸し上面に天板を載置可能な天板受部を設けていることを特徴とする請求項１記載の脚要素の取付構造。
【請求項３】
前記脚取付部材を、天板の四隅部にそれぞれ取り付けるようにしていることを特徴とする請求項１又は２記載の脚要素の取付構造。
【請求項４】
前記脚要素と前記脚取付部材とを、互いに着脱可能にしていることを特徴とする請求項１、２又は３記載の脚要素の取付構造。
【請求項５】
前記止着部を、前記脚取付部材に形成した雄ネジ挿通孔と、前記天板の小口面に形成した雌ねじ穴と、前記雄ネジ挿通孔に挿通させて前記雌ねじ穴に螺着する雄ねじ部材とを利用して構成していることを特徴とする請求項１、２、３又は４記載の脚要素の取付構造。
【請求項６】
前記止着部を、前記脚取付部材に形成した雄ネジ挿通孔と、前記天板の２つの小口面に跨り形成した雌ねじ穴と、前記雄ネジ挿通孔に略前記天板の対角線方向に挿通させて前記雌ねじ穴に螺着する雄ねじ部材とを利用して構成していることを特徴とする請求項１、２、３又は４記載の脚要素の取付構造。
【請求項７】
平面視矩形状の天板と、この天板を支持する脚要素と、天板及び脚要素を接続し天板の隅部を形成する複数の小口面に当接可能な当接部を有する脚取付部材と、前記脚取付部材を前記天板の小口面に向かって止着する止着部とを具備することを特徴とする家具。
【発明の詳細な説明】
【技術分野】
【０００１】
本発明は、主としてオフィス等に用いられ、平面視矩形状の天板を支持する脚要素の取付構造、及びこの脚要素の取付構造を利用した家具に関する。
【背景技術】
【０００２】
近時、天板を備えた家具において、天板の表面が傷ついても廃棄しないようにすべく、また、左右非対称な形状の天板を付け替えて種々の使用態様に対応できるようにすべく、天板の両板面を天板面として使用可能にしているものが考えられている。（例えば、特許文献１参照。）
【特許文献１】特開２００３−１１１６１９号公報
【発明の開示】
【発明が解決しようとする課題】
【０００３】
しかして、特許文献１記載の構成においては、天板を支持する脚（特許文献１中ではサイドフレーム）にブラケットを固着するとともに、天板に厚さ方向に貫通する取付穴を上下対称な形状に設け、この取付穴にフランジを備えたボス体を嵌め、このボス体を介してネジを前記ブラケットに固着するようにしている。すなわち、前記取付穴を上下対称な形状に設け、天板の両板面のいずれからも同様にボス体を前記取付穴に嵌めることができるようにすることにより、天板の両板面のいずれも天板面として使用可能にしている。
【０００４】
ところが、このような構成を採用すると、天板面として使用するに前記取付穴を設けるので、この取付穴が外部に露出し見栄えが悪くなるとともに、天板面の取付穴の部分は天板面の他の部分と面一でないので作業性が低下する不具合が発生する。また、厚さ方向に貫通する取付穴を天板に設けているので、天板の強度が損なわれる不具合も発生する。
【０００５】
本発明は、このような課題を解決すべく構成するものである。
【課題を解決するための手段】
【０００６】
すなわち、本発明に係る脚要素の取付構造は、平面視矩形状の天板を支持する脚要素の取付構造であって、脚要素と、天板及び脚要素を接続し天板の隅部を形成する複数の小口面に当接可能な当接部を有する脚取付部材と、前記脚取付部材を前記天板の小口面に向かって止着する止着部とを具備することを特徴とする。
【０００７】
このようなものであれば、前記脚取付部材を天板の隅部を形成する複数の小口面に当接させて前記止着部を介して止着することにより、天板面に厚さ方向に貫通する孔を設けることなく、天板面の外観を整え、また天板の作業性及び強度を確保しつつ天板の両面を利用可能な脚要素の取付構造を実現できる。また、脚取付部材を天板の隅部を形成する複数の小口面に当接させるようにしているので、このような脚取付部材の位置決めを容易に行うことができる。なお、本発明において、「小口面」とは、天板の使用端面、反使用端面、及び左右両側端面を含む概念である。
【０００８】
このような脚要素の取付構造を具体的に実現するための態様の一例として、前記脚取付部材に、天板の隅部を形成する複数の小口面に当接可能な当接部と、この当接部の下端から延伸し上面に天板を載置可能な天板受部とを設けているものが挙げられる。このようなものであれば、例えば１枚の金属板の隅部を形成する複数の端縁を起立させて当接部とし、他の部分を天板受部とする等、簡単な加工により脚取付部材を製造できる。また、当接部を天板の隅部を形成する複数の小口面に当接させることにより、このような脚取付部材の天板に対する位置決めを容易に行うことができる。
【０００９】
また、より幅広い実施態様を実現できる構成として、前記脚取付部材を、天板の四隅部にそれぞれ取り付けるようにしているものが挙げられる。このようなものであれば、天板の四隅部をそれぞれ脚要素である脚に支持させる態様だけでなく、天板の１辺を構成する２つの隅部を脚要素である脚に支持させるとともに、他の２つの隅部を前記脚と別に設けられ天板を支持可能な脚要素である天板支持要素に支持させる態様や、３つの隅部を脚要素である脚に支持させるとともに、残り１つの隅部を前記脚と別に設けられ天板を支持可能な脚要素である天板支持要素に支持させる態様等を実現可能だからである。
【００１０】
より幅広い実施態様を実現できる構成としては、前記脚要素と前記脚取付部材とを、互いに着脱可能にしているものも挙げられる。このようなものであれば、前記脚要素として、床面から起立して設けられる脚や、前記脚と別に設けられ天板を支持可能な天板支持要素など、種々のものを取り付ける態様を実現できるからである。
【００１１】
さらに、前記脚取付部材を前記天板の小口面に安定して止着できる態様として、前記止着部を、前記脚取付部材に形成した雄ネジ挿通孔と、前記天板の小口面に形成した雌ねじ穴と、前記雄ネジ挿通孔に挿通させて前記雌ねじ穴に螺着する雄ねじ部材とを利用して構成しているものが挙げられる。このようなものであれば、前記雄ねじ部材を前記雌ねじ穴に螺着した際の締着力により、前記脚取付部材を前記天板の小口面に圧着できるからである。
【００１２】
また、前記止着部を、前記脚取付部材に形成した雄ネジ挿通孔と、前記天板の２つの小口面に跨り形成した雌ねじ穴と、前記雄ネジ挿通孔に略前記天板の対角線方向に挿通させて前記雌ねじ穴に螺着する雄ねじ部材とを利用して構成しているものであっても、前記雄ねじ部材を前記雌ねじ穴に螺着した際の締着力により、前記脚取付部材を前記天板の小口面に圧着でき、前記脚取付部材を前記天板の小口面に安定して止着できる。
【発明の効果】
【００１３】
本発明に係る脚要素の取付構造を採用すれば、前記脚取付部材を天板の隅部を形成する複数の小口面に当接させ、前記止着部により前記脚取付部材を前記小口面に止着することにより、天板に厚さ方向に貫通する孔を設けることなく、天板面の外観を整え、また天板の作業性及び強度を確保しつつ天板の両面を利用可能な脚の取付構造を実現できる。さらに、脚取付部材を天板の隅部を形成する複数の小口面に当接させるようにしているので、このような脚取付部材の位置決めを容易に行うことができる。
【発明を実施するための最良の形態】
【００１４】
以下、本発明のある一つの実施形態を、図面を参照して説明する。
【００１５】
本発明に係る家具Ｆは、図１に全体斜視図、図２に平面図、図３に正面図、図４に分解斜視図をそれぞれ示すように、略長方形状をなす天板１と、天板１の長手寸法と略同一の長手寸法を有し天板１の一辺部分を選択的に支持する第１の脚要素である天板支持要素２と、天板１の前記天板支持要素２に支持される辺と逆側の端縁を支持する第２の脚要素である脚３と、前記天板１と前記天板支持要素２との間に介在する第１結合機構４と、前記天板１と前記脚３との間に介在する第２結合機構５とを具備する。そして、前記天板１の長手寸法を１モジュールｍとした場合に、前記１モジュールｍを１辺とする正方形の領域である単位モジュール領域Ａ内に前記天板１及び前記天板支持要素２の略全体を配することができる。なお、前記図１〜図３には、前記天板１の長手方向に沿って延びる一辺部分である反使用端縁を天板支持要素２に支持させる態様である矩形態様を示している。
【００１６】
より具体的には、前記天板１は、本実施形態では、図５に分解斜視図を示すように、隅部に切り欠き１１ｘを有し板状をなす非金属製芯材、例えば紙製芯材１１と、前記切り欠き１１ｘ部分に位置させてなる金属芯材１２と、これら紙製芯材１１及び金属芯材１２の両面に配される化粧板１３、隅部を被覆するコーナー部材１４とを具備し、平面視略長方形状をなす。さらに、前記金属芯材１２の小口面には、第１天板支持部材４又は第２天板支持部材５を取り付けるための止着部を形成する雌ネジ穴１ｘを設けている。また、コーナー部材１４の小口面には、前記雌ネジ穴１ｘに螺着する雄ネジ部材を挿通させるためのネジ挿通孔１４ｘを設けている。さらに、この天板１の２つの短辺の長さ寸法を異ならせていて、長さ寸法が大きい短辺の長さ寸法を、２分の１モジュール１／２ｍとしている。そして、反使用端縁に沿って延びる長辺と２つの短辺とをそれぞれ直交させた形状としているとともに、使用端縁に沿って延びる長辺部分の両側端部も２つの短辺にそれぞれ直交させ、使用端縁に沿って延びる長辺部分の中間部は反使用端縁に対して角度を有する直線状にしている。
【００１７】
前記天板支持要素２は、フレーム２１と、前記フレーム２１に支持され物品を収納可能な物品収納空間２ｓを有する物品収納体２２とを具備する。
【００１８】
前記フレーム２１は、左右両端に位置させるようにしているとともに床面から起立させる支柱２１１、２１１と、これら支柱２１１、２１１の上端間を接続する上横架材２１２と、前記支柱２１１、２１１の下端部間を接続する下横架材２１３と、幅方向中央に位置し、前記上横架材２１２及び前記下横架材２１３を接続する中接続材２１４とを具備する。また、このフレーム２１の幅寸法は前記１モジュールｍにしていて、このフレーム２１を単位モジュール領域Ａの１辺に沿って配置するようにしている。そして、このフレーム２１は左右対称な形状にしている。なお、このフレーム２１には、オプション部材として、幅寸法が２分の１モジュールであるパネル９を左半部又は右半部に選択的に取付可能にしている。
【００１９】
前記物品収納体２２は、床面から起立して前記フレーム２１に後部を支持させてなり下端部にアジャスタ２２１ａを有する左右１対の側板２２１、２２１と、前記フレーム２１に左右両端を支持させてなり前記物品収納空間２ｓの後面を形成する背板２２２と、前記側板２２１、２２１の下端部間を接続し前記物品収納空間２ｓの底面を形成する底板２２３と、前記底板２２３の下方に垂下して設けた巾板２２６と、前記物品収納空間２ｓのうち一部の上方及び前方を閉塞し、左右方向に移動可能な扉２２４とを具備する。この物品収納体２２の幅寸法も前記１モジュールｍとしている。さらに、前記物品収納空間２ｓの幅方向中央には仕切板２２５を起立させて設けていて、前記背板２２２及び前記底板２２３は、この仕切板２２５に対して対称な長方形状をなしているとともに、左右の側板２２１、２２１は同一の形状を有する。すなわち、この物品収納体２２は、２分の１モジュール１／２ｍの幅寸法を有する半モジュール構造体２２ｈを長手方向に２つ並列させた構造にしている。そして、前記扉２２４は、背板２２２の上方に位置しこの扉２２４の後端部を支持する上レールＲ１及び巾板２２６の前方に位置しこの扉２２４の下端部を支持する下レールＲ２によりスライド可能に支持されているとともに、２分の１モジュール１／２ｍの幅寸法を有する。すなわち、この扉２２４は、左右の半モジュール構造体２２ｈのうちいずれかの物品収納空間２ｓの上方及び前方を選択的に閉塞可能である。なお、前記扉２２４は、前記図２及び図３では想像線により示している。
【００２０】
前記脚３は、本実施形態では天板１の前記天板支持要素２に支持される辺と逆側に位置する隅部の下方に２本設けられて天板を支持する。また、本実施形態ではアルミ押出し成形により形成される脚本体３１と、この脚本体３１の下方に取り付けられるアジャスタ３２とを具備する。そして、この脚３の上端部には、前記第２結合機構５を介して天板１に取り付けるようにするための雌ネジ穴３ｘを設けている。
【００２１】
しかして本実施形態では、前記第１結合機構４を利用した天板１への第１の脚要素である天板支持要素２の取付構造に、天板１及び天板支持要素２を接続し天板１の隅部を形成する複数の小口面に当接して取り付けられる脚取付部材たる天板受部材４１と、前記天板受部材４１を前記天板１の小口面に止着する止着部Ｓ１とを具備するものを採用している。また、前記第２結合機構５を利用した天板１への第２の脚要素である脚３の取付構造に、脚３と、天板１及び脚３を接続し天板１の隅部を形成する複数の小口面に当接して取り付けられる脚取付部材たる天板受部材５１と、前記天板受部材５１を前記天板１の小口面に止着する止着部Ｓ２とを具備するものを採用している。
【００２２】
具体的には、前記第１結合機構４は、図６に分解斜視図を示すように、平面視Ｌ字状に屈曲するとともに天板１の隅部を形成する複数の小口面に当接可能な起立板状の当接部４１ａ及びこの当接部４１ａの下端から延伸し上面に天板１を載置可能な天板受部４１ｂを有する天板受部材４１と、鉛直方向に延伸する形状をなしこの天板受部材４１の下方に取り付けられる第１接続部材４２と、奥行き方向に延伸する形状をなしてこの第１接続部材４２の側方に取り付けられ該第１接続部材４２と前記天板支持要素２とを接続する第２接続部材４３と、前記天板支持要素２のフレーム部２１の上横架材２１２の上面に左右方向に移動可能に設けられた雌ネジ部材４４と、前記止着部Ｓ１とを具備する。
【００２３】
さらに詳述すると、前記天板受部４１ｂに雄ネジ部材Ｖ１を挿通可能な雄ネジ挿通孔４１ｙを設けていて、この雄ネジ挿通孔４１ｙを挿通させた雄ネジ部材Ｖ１を第１接続部材４２の上端の雌ネジ穴４２ｘに螺着して第１接続部材４２を天板受部材４１に固定するようにしている。また、前記第２接続部材４３には雄ネジ部材Ｖ２を左右方向に挿通可能な雄ネジ挿通孔４３ｘ、前記第１接続部材４２の側面には雌ネジ孔４２ｙを形成していて、前記雄ネジ挿通孔４３ｘを挿通させた雄ネジ部材Ｖ２を前記第１接続部材４２の側面の雌ネジ孔４２ｙに螺着して第２接続部材４３を第１接続部材４２に固定するようにしている。そして、第２接続部材４３の先端部に雄ネジ挿通孔４３ｙを設けているとともに、この雄ネジ挿通孔４３ｙを挿通させた雄ネジ部材Ｖ３を前記雌ネジ部材４４に螺着して第２接続部材４３を天板支持要素２に固定するようにしている。前記雌ねじ部材４４は、フレーム２１の上横架材２１２の上面に形成したスリット２１２ｓに、着脱可能に取り付けるようにしている。すなわち、この第１結合機構４は、天板１を天板支持要素２に支持させる際に天板支持要素２が天板１を支持する部位を変更可能である。そして、前記天板１の両板面に、天板支持要素２に支持させるための穴を一切設けずに、天板支持要素２により天板１を支持させるようにすべく、前記天板１の隅部を形成する小口面に、天板受部材４１を前記止着部Ｓ１により止着している。すなわち、前記止着部Ｓ１は、前記当接部４１ａに形成した雄ネジ挿通孔４１ｘと、前記天板１の隅部の小口面に形成した雌ねじ穴１ｘと、前記雄ネジ挿通孔４１ｘに挿通させて前記雌ねじ穴１ｘに螺着する雄ねじ部材Ｖ４とにより形成していて、前記雄ねじ部材Ｖ４を前記雌ねじ穴１ｘに螺着することにより、前記天板１の隅部を形成する複数の小口面に天板受部材４１を止着するようにしている。
【００２４】
前記第２結合機構５は、図７に分解斜視図を示すように、平面視Ｌ字状に屈曲するとともに天板１の隅部の側面に当接可能な起立板状の当接部５１ａと、この当接部５１ａの下端から延伸し上面に天板１を載置可能な天板受部５１ｂとを有し、前記第１結合機構４の天板受部材４１と同一の構成を有する天板受部材５１前記天板受部材５１を前記天板１の小口面に止着する止着部Ｓ２とを具備する。さらに、前記天板受部５ｂに雄ネジ部材を挿通可能な雄ネジ挿通孔５１ｘを設けていて、この雄ネジ挿通孔５１ｘを挿通させた雄ネジ部材Ｖ５を脚３の上端の雌ネジ穴３ｘに螺着し、脚３を前記天板受部材５１に固定するようにしている。そして、前記天板１の両板面に、脚３に支持させるための穴を一切設けずに、脚３により天板１を支持させるようにすべく、前記天板１の隅部を形成する複数の小口面に、天板受部材５１を前記止着部Ｓ２により止着している。すなわち、前記止着部Ｓ２は、前記当接部５１ａに形成した雄ネジ挿通孔５１ｘと、前記天板１の小口面に形成した雌ねじ穴１ｘと、前記雄ネジ挿通孔５１ｘに挿通させて前記雌ねじ穴１ｘに螺着する雄ねじ部材Ｖ６とにより形成していて、前記雄ねじ部材Ｖ６を前記雌ねじ穴１ｘに螺着することにより、前記天板１の隅部を形成する複数の小口面に天板受部材５１を止着するようにしている。
【００２５】
そして、前記天板１の両板面に、天板支持要素２及び脚３に支持させるための穴を一切設けずに、この天板１の両板面のいずれが天板面となっても前記天板１の隅部を形成する複数の小口面に天板受部材４１、５１を止着できるようにすることにより、すなわち前記雌ねじ穴１ｘを厚さ方法中央に設けることにより、この天板１の両板面のいずれも天板面として使用可能に構成している。
【００２６】
しかして、このような家具Ｆを配するにあたっては、まず、単位モジュール領域Ａを必要な人数分だけ床面上に設定するようにしている。次いで、天板１、天板支持要素２、及び脚３を用意し、前記単位モジュール領域Ａ内において、第１結合機構４を介して天板支持要素２に天板１の１辺部分を選択的に支持させるとともに、第２結合機構５を介して脚３に天板１の前記１辺に対向する他の１辺部分を支持させるようにしている。このような家具の配置の例について、その概略平面図を図８の（ａ）および同図の（ｂ）に示す。
【００２７】
ここで、上述したように、第１結合機構４は、天板１を天板支持要素２に支持させる際に天板支持要素２が天板１を支持する部位を変更可能にしている。具体的には、この第１結合機構４は、以下に述べる３つの態様を選択的にとり得るように天板支持要素２が天板１を支持する部位を変更可能にしている。第１の態様は、天板１の長辺を天板支持要素２に支持させてなり、単位モジュール領域Ａのフレーム２１を配した１辺に沿って天板１及び天板支持要素２を配置する上述した矩形態様である。第２の態様は、天板１の長さ寸法が大きい短辺を天板支持要素２に支持させてなり、単位モジュール領域Ａのフレーム２１を配した１辺に沿って天板支持要素２を配置するとともに前記フレーム２１を配した１辺に隣接する他の１辺に沿って天板１を配置する第１のＬ字態様である。第３の態様は、天板１の長さ寸法が小さい短辺を天板支持要素２に支持させてなり、単位モジュール領域Ａのフレーム２１を配した側の１辺に沿って天板支持要素２を配置するとともに前記フレーム２１を配した１辺に隣接する他の１辺に沿って天板１を配置する第２のＬ字態様である。ここで、第１のＬ字態様にある家具Ｆについて、その全体斜視図を図９、平面図を図１０、正面図を図１１にそれぞれ示す。また、第２のＬ字態様にある家具Ｆについて、その全体斜視図を図１２、平面図を図１３、正面図を図１４にそれぞれ示す。また、図中では、矩形態様、第１のＬ字態様、第２のＬ字態様にある家具Ｆを、それぞれＦ（ａ）、Ｆ（ｂ）、及びＦ（ｃ）とそれぞれ示している。なお、前記扉２２４は、前記図１０、図１１、図１３、及び図１４では想像線により示している。
【００２８】
さらに、前記矩形態様においては、天板１の奥行き寸法が大きい領域、すなわち長さ寸法が大きい短辺側を左右どちらに配することもできるように、また、天板１を天板支持要素２の左右どちら側にも配置しても、前記第１のＬ字態様及び前記第２のＬ字態様となるように天板１を配することができるようにすべく、上述したように、天板１の両板面のいずれも天板面として使用可能に構成している。ここで、実際に前記第１のＬ字態様及び前記第２のＬ字態様となるように天板１を配する場合、まず、天板１のいずれかの短辺を天板支持要素２に支持し得る位置に天板１を配し、反使用端が前記単位モジュール領域Ａの１辺に沿う場合はそのまま天板支持要素２に支持させるとともに、使用端が前記単位モジュール領域Ａの１辺に沿う場合は天板１を反転させ、反使用端が前記単位モジュール領域Ａの１辺に沿うようにしてから天板支持要素２に支持させるようにしている。
【００２９】
そして、特に複数の作業者が互いに連絡を取り合うことが多い職種の職場においては、前記図８の領域Ｘのように、単位モジュール領域Ａを互いに隣接させて配置するとともに、天板支持要素２を長手方向に沿って複数並列して２列に背中合わせに配置し、前記矩形態様となるように天板１を配置するようにしている。なお、前記図８の領域Ｘにおいては、天板１の長さが同一の短辺を対向させて着座者の視線を合わせやすくしているが、長さが異なる短辺を対向させて着座者の視線を合わせにくくする構成も採用可能である。
【００３０】
また、特に個人の集中作業を重視する職種の職場においては、前記図８の（ａ）の領域Ｙのように、前記第１のＬ字態様となるように天板１を配置するようにしている。さらに、個人の集中作業を重視するが作業者間のコミュニケーションの円滑化も求められる職種の職場においては、前記図８の（ｂ）の領域Ｙのように、前記第２のＬ字態様となるように天板１を配置ようにしている。
【００３１】
以上に述べたように、本実施形態に係る家具Ｆに係る前記第２結合機構５を利用した脚３の取付構造によれば、脚３と、天板１及び脚３を接続し天板１の隅部を形成する複数の小口面に当接して取り付けられる天板受部材５１と、前記天板受部材５１を前記天板１の小口面に止着する止着部とを具備させているので、前記天板受部材５１を天板１の隅部を形成する複数の小口面に当接させて前記止着部により止着することにより、天板１の天板面に厚さ方向に貫通する孔を設けることなく、天板面の外観を整え、また天板１の作業性及び強度を確保しつつ天板１の両面を利用可能な脚３の取付構造を実現できる。また、天板受部材５１を天板１の隅部を形成する複数の小口面に当接させるようにしているので、このような天板受部材５１の位置決めを容易に行うことができる。
【００３２】
また、前記天板受部材５１に、天板の隅部を形成する複数の小口面に当接可能な当接部５１ａと、この当接部５１ａの下端から延伸し上面に天板１を載置可能な天板受部５１ｂとを設けているので、上述したような簡単な加工により天板受部材５１を製造できる。また、当接部５１ａを天板１の隅部を形成する複数の小口面に当接させることにより、このような天板受部材５１の天板１に対する位置決めを容易に行うことができる。
【００３３】
さらに、前記天板受部材５１、及びこの天板受部材５１と同一の構成を有する第１結合機構４の天板受部材４１を、天板１の四隅部にそれぞれ取り付けるようにしているので、上述したような天板１の１辺を構成する２つの隅部を脚３に支持させるとともに、他の２つの隅部を前記天板支持要素２にそれぞれ支持させる態様において、上述した矩形態様、第１のＬ字態様、及び第２のＬ字態様をそれぞれ必要な職種の職場に容易に形成できる。加えて、２つの隅部を脚３、他の２つの隅部を前記天板支持要素２にそれぞれ支持させる態様以外に、天板１の四隅部をそれぞれ脚３に支持させる通常の天板付き家具を形成すること等が実現可能になる。
【００３４】
加えて、前記脚３と前記天板受部材５１とを、互いに着脱可能にしているので、前記天板受部材５１から前記脚３を取り外し、前記第１結合機能を構成する前記天板受部材４１として機能させる態様も実現できるからである。
【００３５】
そして、前記止着部を、前記天板受部材５１に形成した雄ネジ挿通孔５１ｘと、前記天板１の小口面に形成した雌ねじ穴１ｘと、前記雄ネジ挿通孔５１ｘに挿通させて前記雌ねじ穴１ｘに螺着する雄ねじ部材とを利用して構成しているので、前記雄ねじ部材を前記雌ねじ穴１ｘに螺着した際の締着力により、前記天板受部材５１を前記天板１の小口面に圧着し、前記天板受部材５１を前記天板１の小口面に安定して止着できる。
【００３６】
なお、本発明は以上に述べた実施形態に限られない。
【００３７】
例えば、ベース及び脚支柱を具備する脚本体により天板の左右両側縁をそれぞれ支持させる態様において、このような脚本体の取り付け態様として、天板及び脚本体を接続し天板の互いに隣接する２つの隅部を形成する３つの小口面に当接して取り付けられる脚取付部材と、前記脚取付部材を前記天板の小口面に止着する止着部とを具備する構成を採用してもよい。
【００３８】
具体的には、図１５に示すような家具ＦＦのように、天板の長手寸法より長尺な脚取付部材たる天板支持要素２０を用意し、この天板支持要素２０に天板１の少なくとも一辺部分を選択的に支持させ、天板支持要素２０に複数の天板１を支持可能にし、この天板１の両板面を天板面として使用可能にしている態様において、前記３つの天板１のうち左側及び中央のものに示すような、上述した実施形態と同様の脚３と異なる形状の脚３０や脚３００を用いてもよい。ここで、脚３０及び脚３００は、１短辺の長さ寸法全域及びこの短辺に隣接する２つの辺の端部の小口面に当接する当接部５０１ａを有する天板受部材５０１を利用した第３接続機構を介して天板１に取り付けるようにしている。
【００３９】
さらに、前記止着部の構成は、上述した雄ネジ部材を雌ネジ孔に螺着する構成のものだけでなく、例えば前記脚取付部材と前記天板の小口面とをバックルを利用して止着する構成等、ネジを利用しない他の構成を採用してもよい。
【００４０】
また、図１６の（ａ）に示すように、短辺に沿って延伸する金属芯材１２０を配してなる天板１０を利用した構成を採用してもよい。この金属芯材１２０は、同図の（ｂ）に平面図、同図の（ｃ）に正面図を示すように、例えばアルミ押出し成形により形成され、左右両側端に第１の雌ねじ孔１２０ｘを有するとともに、天板１の小口面となる側の面を形成する側壁の高さ方向中央部の厚さ寸法を他の部分よりも大きくして、前記天板１の小口面となる側の面の両端部に第２の雌ねじ孔１２０ｙを有する。そして、止着部を、これら第１、第２の雌ねじ孔１２０ｘ、１２０ｙ、脚取付部材すなわち天板受部材の当接部、及び前記当接部を挿通させて前記第１、第２の雌ねじ孔１２０ｘ、１２０ｙに螺着する雄ネジ部材（図示略）を利用して構成すれば、上述した実施形態とほぼ同様の効果が得られる。
【００４１】
さらに、木製の天板Ａ１を採用する態様においては、天板Ａ１に、天板本体Ａ１１と、天板の隅部を構成する２つの小口面に配するＬ字板状のコーナー部材Ａ１２と、この２つの小口面を接続するように配する取付補助部材Ａ１３とを備えさせた以下のような構成を採用してもよい。
【００４２】
この態様では、天板本体Ａ１１の隅部の平面図を図１７の（ａ）、同正面図を同図の（ｂ）に示すように、天板本体Ａ１１の隅部の小口面には、前記コーナー部材Ａ１２を配した際にこのコーナー部材Ａ１２の表面とこの天板の小口面の他の部分とを面一にすべく切り欠きＡ１１ａを設けている。また、天板本体Ａ１１の前記２つの小口面の一方から他方に向けて、前記取付補助部材Ａ１３を挿入するための部材挿通孔Ａ１１ｘを設けている。さらに、天板本体Ａ１１の小口面の両端部には、雄ネジ部材を挿通するためのネジ挿通孔Ａ１１ｙを設けている。
【００４３】
前記コーナー部材Ａ１２には、平面図を前記図１７の（ｃ）、同正面図を同図の（ｄ）に示すように、前記取付補助部材Ａ１３を挿入するための部材挿通孔Ａ１２ｘ、及び雄ネジ部材を挿通するためのネジ挿通孔Ａ１２ｙを設けている。
【００４４】
前記取付補助部材Ａ１３は、平面図を前記図１７の（ｅ）、同正面図を同図の（ｆ）、前記図１７の（ｅ）における矢印ｚ方向から見た図を同図の（ｇ）に示すように、円柱の一側縁を直線状に切り欠いた形状にしていて、直線状に切り欠いた部分に位置決め平面Ａ１３ａを形成している。また、この取付補助部材Ａ１３の前記位置決め平面Ａ１３ａと円筒の中心軸を挟んで逆側には、前記２つの小口面とそれぞれ垂直な２つの雌ねじ孔Ａ１３ｘ、Ａ１３ｘを設けている。さらに、前記雌ねじ孔Ａ１３ｘの開口縁部には、前記天板本体Ａ１１のネジ挿通孔Ａ１１ｙと組み合わせて円筒状となる形状に座繰り部Ａ１３ｙを設けている。
【００４５】
そして、前記天板本体Ａ１１の切り欠きＡ１１ａにコーナー部材Ａ１２を配し、それから天板本体Ａ１１の部材挿通孔Ａ１１ｘに前記取付補助部材Ａ１３を挿入して天板Ａ１を形成するようにしている。この天板Ａ１の隅部の平面図を図１８に示す。なお、前記コーナー部材Ａ１２の部材挿通孔Ａ１２ｘには直線部Ａ１２ｚを設けていて、この直線部Ａ１２ｚが前記取付補助部材Ａ１３の位置決め平面Ａ１３ａに当接して前記取付補助部材Ａ１３の回り止めを行い、該取付補助部材Ａ１３の雌ねじ孔Ａ１３ｘの向きを一定にするようにしている。
【００４６】
しかしてこの態様では、脚取付部材として、上述した実施形態における天板受部材と同様の構成を有する天板受部材（図示略）を用いるようにしているとともに、止着部も上述した実施形態とほぼ同様に構成している。すなわち、雄ネジ部材（図示略）を、前記天板受部材（図示略）の当接部に形成したネジ挿通孔、コーナー部材Ａ１２のネジ挿通孔Ａ１２ｙ、天板本体Ａ１１のネジ挿通孔Ａ１１ｙに、順次挿通させ、前記取付補助部材Ａ１３の雌ねじ孔Ａ１３ｘに螺着するようにしている。
【００４７】
このように構成すれば、全体が木製の天板Ａ１に容易に止着部を形成する雌ねじ孔を形成でき、木ネジを脚取付部材の当接部を挿通させて天板に直接螺着する態様と比較して、天板の強度を確保できる。
【００４８】
加えて、脚取付部材と脚要素とを一体に成形したものを用いてもよい。
【００４９】
その他、本明細書に例示した実施形態にとらわれず、天板の材質や形状、また天板受部の形状を変更する等、本発明の趣旨を損ねない範囲で種々に変形してよい。
【図面の簡単な説明】
【００５０】
【図１】本発明の一実施形態に係る家具の矩形態様を示す全体斜視図。
【図２】同実施形態における家具の矩形態様を示す平面図。
【図３】同実施形態における家具の矩形態様を示す正面図。
【図４】本発明の一実施形態に係る家具を示す分解斜視図。
【図５】本発明の一実施形態に係る家具の天板を示す分解斜視図。
【図６】同実施形態における家具の天板と天板支持要素との接続態様を示す分解斜視図。
【図７】同実施形態における家具の天板と脚との接続態様を示す分解斜視図。
【図８】同実施形態における家具の配置の例を示す概略平面図。
【図９】同実施形態における家具の第１のＬ字態様を示す全体斜視図。
【図１０】同実施形態における家具の第１のＬ字態様を示す平面図。
【図１１】同実施形態における家具の第１のＬ字態様を示す正面図。
【図１２】同実施形態における家具の第２のＬ字態様を示す全体斜視図。
【図１３】同実施形態における家具の第２のＬ字態様を示す平面図。
【図１４】同実施形態における家具の第２のＬ字態様を示す正面図。
【図１５】本発明の他の実施形態における家具を示す図。
【図１６】本発明の他の実施形態における家具の天板を示す図。
【図１７】本発明の他の実施形態における家具の天板の天板本体、コーナー部材、及び取付補助部材を示す図。
【図１８】本発明の他の実施形態における家具の天板を示す平面図。
【符号の説明】
【００５１】
Ｆ…家具
１…天板
２…天板支持要素（脚要素）
３…脚（脚要素）
４１、５１…天板受部材（脚取付部材）
４１ａ、５１ａ…当接部
４１ｂ、５１ｂ…天板受部
Ｓ１、Ｓ２…止着部
【図１】
2006204772.tif 000003
【図２】
2006204772.tif 000004
【図３】
2006204772.tif 000005
【図４】
2006204772.tif 000006
【図５】
2006204772.tif 000007
【図６】
2006204772.tif 000008
【図７】
2006204772.tif 000009
【図８】
2006204772.tif 000010
【図９】
2006204772.tif 000011
【図１０】
2006204772.tif 000012
【図１１】
2006204772.tif 000013
【図１２】
2006204772.tif 000014
【図１３】
2006204772.tif 000015
【図１４】
2006204772.tif 000016
【図１５】
2006204772.tif 000017
【図１６】
2006204772.tif 000018
【図１７】
2006204772.tif 000019
【図１８】
2006204772.tif 000020